(57)【要約】【課題】  ２４時間換気中に暖房運転が行われても換気を停止することなく、しかも冷風感を最小限に抑えられる浴室換気乾燥暖房装置を提供する。【解決手段】  ２４時間換気運転中に循環用送風機２とヒータ４とによる暖房運転を確認したとき、換気の風量が小さくなるように換気送風機３を制御し、暖房運転の終了を確認したときは、並列運転前の風量と同じになるように換気送風機３を制御する制御部５を備えた。【選択図】        図１
2006023025.tif 000002
【特許請求の範囲】
【請求項１】
浴室内の空気を吸引して浴室内に送風する循環用送風機と、
該循環用送風機によって送風される空気を加熱するヒータと、
浴室内の空気を浴室外へ排出する換気送風機と、
換気運転を確認したとき前記換気送風機の運転を開始し、暖房運転を確認したときは前記循環用送風機の運転及びヒータへの通電を開始する制御部とを備え、
前記制御部は、換気運転期間中に暖房運転を確認したとき換気の風量が小さくなるように前記換気送風機を制御し、暖房運転の終了を確認したときは、並列運転前の風量と同じになるように前記換気送風機を制御することを特徴とする浴室換気乾燥暖房装置。
【請求項２】
前記制御部は、暖房運転に含まれる入浴前暖房運転及び入浴中暖房運転のうち、換気運転期間中に入浴前暖房運転を確認したとき、換気の風量が第１風量まで小さくなるように前記換気送風機を制御し、入浴前暖房運転の終了を確認したときは、第１風量よりさらに小さい第２風量になるように前記換気送風機を制御し、その後、入浴中暖房運転を確認することなく所定時間経過したときは、暖房運転の終了と判断して並列運転前の風量と同じになるように前記換気送風機を制御することを特徴とする請求項１記載の浴室換気乾燥暖房装置。
【請求項３】
前記制御部は、入浴前暖房運転の終了後に入浴中暖房運転を確認したとき、所定時間経過するまでに入浴中暖房運転が終了したかどうかを判定し、入浴中暖房運転が終了する前に所定時間経過したときは、第２風量から第１風量になるように前記換気送風機を制御し、その後、入浴中暖房運転の終了を確認したときは、暖房運転の終了と判断して並列運転前の風量と同じになるように前記換気送風機を制御することを特徴とする請求項２記載の浴室換気乾燥暖房装置。
【請求項４】
前記制御部は、換気運転期間中に入浴中暖房運転を確認したとき、換気の風量が第１風量まで小さくなるように前記換気送風機を制御し、入浴中暖房運転の終了を確認したときは、暖房運転の終了と判断して並列運転前の風量と同じになるように前記換気送風機を制御することを特徴とする請求項３記載の浴室換気乾燥暖房装置。
【請求項５】
前記制御部は、暖房運転前の換気の風量及び暖房運転時の換気の各風量を操作部からの切換指示に基づいて変更することを特徴とする請求項１乃至４の何れかに記載の浴室換気乾燥暖房装置。
【請求項６】
前記制御部は、入浴前暖房運転時の換気を操作部からの一時停止指示に基づいて１時間を上限として停止することを特徴とする請求項１乃至５の何れかに記載の浴室換気乾燥暖房装置。
【請求項７】
前記制御部は、換気運転として２４時間換気運転中に操作部からの停止指示を受けたとき２４時間換気運転を強制的に停止することを特徴とする請求項１乃至６の何れかに記載の浴室換気乾燥暖房装置。
【請求項８】
前記制御部は、前記所定時間を操作部からの切換指示に基づいて変更することを特徴とする請求項２乃至７の何れかに記載の浴室換気乾燥暖房装置。
【発明の詳細な説明】
【技術分野】
【０００１】
本発明は、２４時間換気運転中に暖房運転をしたときの換気の風量を制御する浴室換気乾燥暖房装置に関するものである。
【背景技術】
【０００２】
従来の浴室乾燥装置は、浴室内の空気を排気ダクトを通じて屋外に排出する換気用送風機と、浴室内の空気を循環させる循環用送風機と、この循環空気を加熱するヒーターとを備え、常時換気モードにより換気用送風機が運転されているときに、暖房運転スイッチのオン操作による暖房モードの運転が開始されると、常時換気モードによる換気用送風機の運転を中断し、停止スイッチの操作により暖房モードの運転が停止すると、常時換気モードによる運転を開始するように制御している（例えば、特許文献１参照）。
【特許文献１】特開２００２−２２２２３号公報（第６頁、図５、図６）
【発明の開示】
【発明が解決しようとする課題】
【０００３】
ところで、従来より２４時間換気機能付き浴室換気乾燥暖房装置はある。しかしながら、２４時間の換気を前提としているため、暖房時にも換気をするため、冷風を感じ、快適性を犠牲にしていた。また、その対策として、暖房時には換気を強制的に制御用リモコンで停止させる方法も既に製品化されているが、例えば、暖房時間を１２時間にセットすれば、１２時間換気が停止してしまい、本来の２４時間換気の主旨を満たさないなどの課題があった。
【０００４】
本発明は、かかる課題を解決するためになされたもので、２４時間換気中に暖房運転が行われても換気を停止することなく、しかも冷風感を最小限に抑えられる浴室換気乾燥暖房装置を提供することを目的とする。
【課題を解決するための手段】
【０００５】
本発明に係る浴室換気乾燥暖房装置は、浴室内の空気を吸引して浴室内に送風する循環用送風機と、循環用送風機によって送風される空気を加熱するヒータと、浴室内の空気を浴室外へ排出する換気送風機と、換気運転を確認したとき換気送風機の運転を開始し、暖房運転を確認したときは循環用送風機の運転及びヒータへの通電を開始する制御部とを備え、制御部は、換気運転期間中に暖房運転を確認したとき換気の風量が小さくなるように換気送風機を制御し、暖房運転の終了を確認したときは、並列運転前の風量と同じになるように換気送風機を制御する。
【発明の効果】
【０００６】
本発明においては、換気運転期間中に暖房運転を確認したとき換気の風量が小さくなるように換気送風機を制御し、暖房運転の終了を確認したときは、並列運転前の風量と同じになるように換気送風機を制御するようにしたので、２４時間換気（０３年７月施行の改正建築基準法）を満足しつつ、入浴者に与える冷風感を最小限に抑えることが可能になる。
【発明を実施するための最良の形態】
【０００７】
実施の形態．
図１は本発明の実施の形態に係る浴室換気乾燥暖房装置の外観を示す図、図２は浴室換気乾燥暖房装置の他の例を示す外観斜視図である。なお、図１に示す（ａ）は正面図、（ｂ）はＡ−Ａ側から見た側面図、（ｃ）はＢ−Ｂ側から見た側面図である。
本実施の形態の浴室換気乾燥暖房装置は、本体１と、本体１内に組み込まれ浴室内の空気を吸引して浴室内へ送風する循環用送風機２と、浴室内の空気を吸引し排気口６を通じて外部へ排出する換気送風機３と、温風吹出し口７の上流側に設置され循環用送風機２によって循環する浴室内の循環風を温風にするヒータ４と、後述するリモートコントローラ（以下、「リモコン」と呼ぶ）の操作（信号）に基づいて循環用送風機２、換気送風機３、ヒータ４などを制御する制御部５とを備えている。なお、制御部５は、リモコンからの信号を無線又は有線を通じて受信するようになっている。
【０００８】
図３は脱衣室等の適所に設置されるリモコンの正面図である。
図中に示すリモコン１０は、停止スイッチ１１、換気スイッチ１２、暖房スイッチ１３、乾燥スイッチ１４、涼風スイッチ１５、入タイマー設定スイッチ１６ａ、切タイマー設定スイッチ１６ｂ、タイマー時間などを表示する表示部１７、フィルタリセットスイッチ１８及び２４時間換気運転を選択するための２４時間換気スイッチ１９を備えている。
【０００９】
停止スイッチ１１は、換気、暖房、乾燥、涼風の各運転、２４時間換気運転を停止させるためのスイッチである。２４時間換気運転を停止させる場合は、そのスイッチ１１を数秒間押し続けることで可能になる。この停止操作により暖房運転を単独で運転することができる。換気スイッチ１２は、強ノッチ、弱ノッチの選択可能なスイッチであり、暖房スイッチ１３は、入浴前に浴室内を暖めておく入浴前暖房運転（暖房：強）、また入浴中に浴室内を暖める入浴中暖房運転（暖房）：弱）を選択するためのスイッチである。
【００１０】
乾燥スイッチ１４は、衣類や浴室を乾燥させるためのスイッチであり、涼風スイッチ１５は、ヒータ４を使わない循環用送風機２のみを運転させるためのスイッチである。入タイマー設定スイッチ１６ａは、換気、暖房、乾燥及、涼風の各運転の開始時間を設定するためのスイッチであり、切タイマー設定スイッチ１６ｂは、運転時間を設定するためのスイッチである。
【００１１】
前述した制御部５は、例えば、マイコンと、循環用送風機駆動回路と、換気送風機駆動回路と、ヒータ回路を有し、リモコン１０の換気スイッチ１２が操作（換気：強又は換気：弱）されたときは換気送風機３を駆動し、暖房スイッチ１３が操作（入浴前暖房又は入浴中）されたときは循環用送風機２を駆動すると共にヒータ４に通電し、乾燥スイッチ１４が操作されたときは、前記と同様に循環用送風機２と換気送風機３を駆動すると共にヒータ４に通電し、涼風スイッチ１５が操作されたときは循環用送風機２と換気送風機３を駆動する。
【００１２】
また、この制御部５は、２４時間換気スイッチ１９がオン操作されたとき、換気の風量がＱ１（ｍ3 ／ｈ）になるように換気送風機３を制御し、２４時間換気運転中に入浴前暖房運転を確認したときは、換気の風量がＱ１より小さいＱ２（第１風量）になるように換気送風機３を制御し、入浴前暖房運転の終了を確認したときは、Ｑ２よりさらに小さいＱ３（第２風量）の風量になるように換気送風機３を制御し、その後、入浴中暖房運転を確認することなくＴ１時間（所定時間）経過したときは、暖房運転の終了と判断して並列運転前の風量Ｑ１と同じになるように換気送風機３を制御する。
【００１３】
また、入浴前暖房運転の終了後に入浴中暖房運転を確認したときは、Ｔ１時間経過するまでに入浴中暖房運転が終了したかどうかを判定し、入浴中暖房運転が終了する前にＴ１時間経過したときは、換気の風量がＱ３（第２風量）より大きいＱ２（第１風量）になるように換気送風機３を制御し、その後、入浴中暖房運転の終了を確認したときは、暖房運転の終了と判断して並列運転前の風量Ｑ１と同じになるように換気送風機３を制御する。
【００１４】
さらに、２４時間換気運転中に入浴中暖房運転を確認したときは、換気の風量がＱ１からＱ２（第１風量）まで小さくなるように換気送風機３を制御し、入浴中暖房運転の終了を確認したときは、暖房運転の終了と判断して並列運転前の風量Ｑ１と同じになるように換気送風機３を制御する。
【００１５】
前述した風量Ｑ２は、入浴前暖房の効果低減を最小限に抑えられる風量であり、風量Ｑ３は、入浴者が冷風を感じない程度の極小風量である。暖房運転に入る前の２４時間換気中の風量Ｑ１、暖房運転時の風量Ｑ２、Ｑ３は、リモコン１０からの切換により変更することができる。この場合、リモコン１０に各風量の値を入力する風量切換スイッチ（図示せず）を設けることで可能になる。これにより、利用者の好みに応じて各風量を変更することができる。なお、制御部５に風量毎に値を入力するディップスイッチを設けて、各風量を変更できるようにしてもよい。
【００１６】
また、入浴前暖房運転に入ったときに例えば２４時間換気スイッチ１９が再びオン操作されると、予め設定された時間、２４時間換気運転を一旦停止する。その時間は例えば１時間で、リモコン１０からの操作により１時間を上限として任意に変更できる。その時間を経過したときは再び２４時間換気運転に入り、暖房運転が入浴前暖房運転のときは換気の風量がＱ２になるように換気送風機３を制御し、また、入浴中暖房運転に入っているときは換気の風量がＱ３になるように換気送風機３を制御する。このように、２４時間換気を停止した場合、効率よく浴室内を暖房できる。
【００１７】
また、２４時間換気運転中に停止スイッチ１１が数秒間押し続けられた場合、２４時間換気運転を停止する。この停止スイッチ１１により２４時間換気運転を停止させた場合、暖房運転のみを行うことができ、効率よい暖房が可能になる。
【００１８】
また、前述したＴ１時間（所定時間）は上限を１時間として設定される時間で、リモコン１０によってその時間を変更することにより制御部５に設定される。その時間を任意に変更できることにより、入浴者の入浴時間に応じて入浴中の冷風感を短くできる。
【００１９】
前記のように構成された本実施の形態の浴室換気乾燥暖房装置において、２４時間換気中に暖房運転が行われたときの動作について説明する。
図４は入浴前暖房運転と入浴中暖房運転を行ったときの２４時間換気運転の動作を示すタイミングチャートである。
２４時間換気スイッチ１９のオン操作により、本装置の換気送風機３が風量Ｑ１で浴室内を換気しているときに、切タイマー設定スイッチ６ｂにより運転時間が入力され、暖房スイッチ１３によって入浴前暖房運転が選択操作されると、制御部５は、循環用送風機２を駆動すると共にヒータ４に通電して浴室内の暖房を開始する。この時、換気送風機３による換気の風量をＱ１からＱ２（Ｑ１＞Ｑ２）に切り換えて、浴室内の換気が風量Ｑ２で行われるように換気送風機３を制御する。その後、切タイマー設定スイッチ６ｂによって設定された運転時間（切タイマー時間）を経過したかどうかを判定し、その時間を経過したときは入浴前暖房運転の終了と判断して、循環用送風機２とヒータ４とをオフ状態にし、換気の風量をＱ２からＱ３（Ｑ２＞Ｑ３）に切り換えて、浴室内の換気が風量Ｑ３で行われるように換気送風機３を制御する。この時、時間の測定に入ってＴ１時間経過したかどうかを判定すると共に、入浴中暖房運転が設定されたかどうかを判定する。
【００２０】
一方、制御部５は、Ｔ１時間経過する前に暖房スイッチ１３によって入浴中暖房運転が選択操作されると、再び循環用送風機２とヒータ４とをオン状態にして浴室内を暖房し、入浴前暖房運転の終了から測定した時間がＴ１時間経過したかどうかを判定する。停止スイッチ１１の操作によって入浴中暖房運転が終了する前に測定時間がＴ１時間経過すると、換気の風量をＱ３からＱ２に切り換えて、浴室内の換気が風量Ｑ２で行われるように換気送風機３を制御する。その後、停止スイッチ１１の操作による入浴中暖房運転の終了を確認したときは、暖房運転の終了と判断して、換気の風量をＱ２からＱ１に切り換えて並列運転前の風量Ｑ１で浴室内の換気が行われるように換気送風機３を制御する。
【００２１】
図５は入浴前暖房運転のみを行ったときの２４時間換気運転の動作を示すタイミングチャートである。
前述したように本装置の換気送風機３が風量Ｑ１で浴室内を換気しているときに、切タイマー設定スイッチ６ｂにより運転時間が入力され、暖房スイッチ１３によって入浴前暖房運転が選択操作されると、制御部５は、循環用送風機２を駆動すると共にヒータ４に通電して浴室内の暖房を開始する。この時、換気送風機３による換気の風量をＱ１からＱ２に切り換えて、浴室内の換気が風量Ｑ２で行われるように換気送風機３を制御する。その後、切タイマー設定スイッチ６ｂによって設定された運転時間（切タイマー時間）を経過したかどうかを判定し、その時間を経過したときは入浴前暖房運転の終了と判断して、循環用送風機２とヒータ４とをオフ状態にし、換気の風量をＱ２からＱ３（Ｑ２＞Ｑ３）に切り換えて、浴室内の換気が風量Ｑ３で行われるように換気送風機３を制御する。この時、時間の測定に入ってＴ１時間経過したかどうかを判定すると共に、入浴中暖房運転が設定されたかどうかを判定する。入浴中暖房運転の選択操作を確認することなく、測定時間がＴ１時間経過したときは、暖房運転の終了と判断して、換気の風量をＱ３からＱ１に切り換えて並列運転前の風量Ｑ１で浴室内の換気が行われるように換気送風機３を制御する。
【００２２】
図６は入浴中暖房運転のみを行ったときの２４時間換気運転の動作を示すタイミングチャートである。
前述したように本装置の換気送風機３が風量Ｑ１で浴室内を換気しているときに、暖房スイッチ１３によって入浴中暖房運転が選択操作されると、制御部５は、循環用送風機２を駆動すると共にヒータ４に通電して浴室内の暖房を開始する。この時、換気送風機３による換気の風量をＱ１からＱ２に切り換えて、浴室内の換気が風量Ｑ２で行われるように換気送風機３を制御する。その後、入浴中暖房運転が終了したかどうかを判定し、停止スイッチ１１のオフ操作による入浴中暖房運転の終了を確認したときは、暖房運転の終了と判断して、風量をＱ２からＱ１に切り換えて並列運転前の風量Ｑ１で浴室内の換気が行われるように換気送風機３を制御する。なお、入浴中暖房運転が切タイマー設定スイッチ１６ｂによって運転時間が設定されていた場合は、その運転時間経過後に入浴中暖房運転を終了する。
【００２３】
以上のように本実施の形態によれば、２４時間換気運転中に入浴前暖房運転を確認したとき、換気の風量がＱ１からＱ２に切り換わるように換気送風機３を制御し、入浴前暖房運転の終了を確認したときは、換気の風量がＱ２からＱ３に切り換わるように換気送風機３を制御し、その後、入浴中暖房運転を確認することなくＴ１時間経過したときは、暖房運転の終了と判断して並列運転前の風量Ｑ１と同じになるように換気送風機３を制御し、また、入浴前暖房運転の終了後に入浴中暖房運転を確認したときは、Ｔ１時間経過するまでに入浴中暖房運転が終了したかどうかを判定し、入浴中暖房運転が終了する前にＴ１時間経過したときは、換気の風量がＱ３からＱ２に切り換わるように換気送風機３を制御し、その後、入浴中暖房運転の終了を確認したときは、暖房運転の終了と判断して並列運転前の風量Ｑ１と同じになるように換気送風機３を制御し、さらに、２４時間換気運転中に入浴中暖房運転を確認したときは、換気の風量がＱ１からＱ２に切り換わるように換気送風機３を制御し、入浴中暖房運転の終了を確認したときは、暖房運転の終了と判断して並列運転前の風量Ｑ１と同じになるように換気送風機３を制御するようにしたので、２４時間換気（０３年７月施行の改正建築基準法）を満足しつつ、入浴者に与える冷風感を最小限に抑えることが可能になるという効果がある。
【図面の簡単な説明】
【００２４】
【図１】本発明の実施の形態に係る浴室換気乾燥暖房装置の外観を示す図である。
【図２】浴室換気乾燥暖房装置の他の例を示す外観斜視図である。
【図３】浴室換気乾燥暖房装置に用いられるリモコンの正面図である。
【図４】入浴前暖房運転と入浴中暖房運転を行ったときの２４時間換気運転の動作を示すタイミングチャートである。
【図５】入浴前暖房運転のみを行ったときの２４時間換気運転の動作を示すタイミングチャートである。
【図６】入浴中暖房運転のみを行ったときの２４時間換気運転の動作を示すタイミングチャートである。
【符号の説明】
【００２５】
１  本体、２  循環用送風機、３  換気送風機、４  ヒータ、５  制御部、６  排気口、７  温風吹出し口、１０  リモコン、１１  停止スイッチ、１２  換気スイッチ、
１３  暖房スイッチ、１４  乾燥スイッチ、１５  涼風スイッチ、１６ａ  入タイマー設定スイッチ、１６ｂ  切タイマー設定スイッチ、１７  表示部、１８  フィルタリセットスイッチ、１９  ２４時間換気スイッチ。
【図１】
2006023025.tif 000003
【図２】
2006023025.tif 000004
【図３】
2006023025.tif 000005
【図４】
2006023025.tif 000006
【図５】
2006023025.tif 000007
【図６】
2006023025.tif 000008